(57)【要約】      （修正有）【課題】種の飛散と畑土を含む乾燥を防止し、且つ地中水分の自然水揚げを促進し、且つ１粒づつ種蒔きすることによって種の無駄と間引きの手間が解消されるようにするとともに、優良に生育させて多収穫を可能にする新規な種蒔機を提供する。【解決手段】４条等の種蒔き溝を押し固め形成する複数本の輪形ロール４を移動調整自在に嵌付けた横長ドラム形をした前輪２と前輪２の後方に平行配設する覆土板１０と、覆土を鎮圧する横長ドラム形をした後輪３とを備え、上方に種を４条等にて１粒づつ拾い４条等のチューブ９内に順次落とす多数の拾い穴を周設した回転円盤を敷入れた種入れ枠６を設け、該各チューブの下端を前輪と覆土板間の各種蒔き溝上に移動調整自在にて位置させることを特徴とする種蒔機である。【選択図】図１
0003106731.tif 000002
【実用新案登録請求の範囲】
【請求項１】
４条等の種蒔き溝を押し固め形成するための複数本の輪形ロールを移動調整自在に嵌付けた横長ドラム形をした前輪と、該前輪の後方に平行配設する覆土板と、覆土を鎮圧する横長ドラム形をした後輪とを備え、上方に種を４条等にて１粒づつ拾い４条等のチューブ内に順次拾い落とす多数の拾い穴を周設した回転円盤を敷入れた種入れ枠を設け、該各チューブの下端に先細の種出しノズルを取付けて前記前輪と覆土板間の各種蒔き溝上に位置させ、該チューブの下端を前記の輪形ロールの移動の方向に移動調整自在とするとともに、該各チューブ内に順次拾い落す前記４条等の拾い穴の周設間隔を広狭に変更することにより種蒔き間隔を広狭に調整することができるようにしたことを特徴とする種蒔機。
【考案の詳細な説明】
【技術分野】
【０００１】
この考案は手押し走行式の種蒔機、詳しくは１粒づつ飛散と乾燥を防止して種蒔きすることが可能な種蒔機に関するものである。
【背景技術】
【０００２】
この種の種蒔機は本願出願人の登録第１４６６８１２号にて、車輪を前後に有す車体枠の中間上に前上がり傾斜を附した台板を取付け、該台板上に種子入れ枠を取付け、該種子入れ湧く内に車輪の回転を動力として回転する円盤を敷入れ、該円盤に種子を一個づつ落入する数条列の落入孔を周設し、該数条列の落入孔に一致する台板の前上がり位置に接続用筒を並設し、各接続用筒に種子蒔きホースを接続し、各ホースの下端を車体枠の中間下部に横断取付けする支柱の前面下に横移動可能において並設する土寄せ板付の空洞形土切り内に装着したことを特徴とする種子蒔き機を開示している（実公昭５７−１９９３２号参照）。
【特許文献１】実公昭５７−１９９３２号公報
【考案の開示】
【考案が解決しようとする課題】
【０００３】
上記の種蒔機により小松菜等の油菜類、ホウレン草、大根、ネギおよび人蔘などのコーティング種の種まきは自動化されて省力化に成功した。しかしながら同機は切刃にて畑土を柔らかく拡げて種蒔き溝を作り該溝に種蒔きをするので、種と溝は乾燥するとともに風で種が吹き飛ぶという課題があった。
【課題を解決するための手段】
【０００４】
本考案は４条等の種蒔き溝を押し固め形成するための複数本の輪形ロールを移動調整自在に嵌付けた横長ドラム形をした前輪と、該前輪の後方に平行配設する覆土板と、覆土を鎮圧する横長ドラム形をした後輪とを備え、上方に種を４条等にて１粒づつ拾い４条等のチューブ内に順次拾い落とす多数の拾い穴を周設した回転円盤を敷入れた種入れ枠を設け、該各チューブの下端に先細の種出しノズルを取付けて前記前輪と覆土板間の各種蒔き溝上に位置させ、該チューブの下端を前記の輪形ロールの移動の方向に移動調整自在とするとともに、該各チューブ内に順次拾い落す前記４条等の拾い穴の周設間隔を広狭に変更することにより種蒔き間隔を広狭に調整することができるようにして、かかる課題を解決するようにしたのである。
【考案の効果】
【０００５】
本考案は以上のように構成したので、手押し走行時に前輪に設けた輪形ロールにて種蒔き溝を押し固め形成するので、種の飛散と畑土を含む乾燥を防止し、且つ地中水分の自然水揚げを促進すること、さらには覆土板による覆土後に後輪の踏みにて覆土を鎮圧することにより、１粒づつにて種蒔きした種を確実に発芽させ、優良に生育させて多収穫することができるに至るという効果を生ずる。
【０００６】
前、後輪を横長の大径なドラム形としたので、直進性に優れて直線的な種蒔きが容易にできるという効果を生ずる。
【０００７】
チューブの下端に先細の種出しノズルを取付けて種蒔きの方向性を安定させたことにより種だしノズルの下端を上方に設置することができるので、土詰まりが生じないという効果を生ずる。
【０００８】
１粒づつにて種蒔きするので、種の無駄と間引きの手間が解消されるという効果を生ずる。
【考案を実施するための最良の形態】
【０００９】
本考案は４条等の種蒔き溝を押し固め形成する複数本の輪形ロールを移動調整自在に嵌付けた横長ドラム形をした前輪と該前輪の後方に平行配設する覆土板と、覆土を鎮圧する横長ドラム形をした後輪とを備え、上方に種を４条等にて１粒づつ拾い４条等のチューブ内に順次落とす多数の拾い穴を周設した回転円盤を敷入れた種入れ枠を設け、該各チューブの下端を前輪と覆土板間の各種蒔き溝上に移動調整自在にて位置させるようにしたのである。また各チューブの下端に先細の種出しノズルを取付け、さらに回転円盤は前輪の側面に接面して回転するサイドローラにより回転し、且つクラッチレバーの操作にて一時停止するようにし、加えて種蒔き間隔はサイドローラの上下動による回転円盤の回転の遅速と回転円盤の拾い穴数を増減することにより広狭に調整されるようにしたのである。
【実施例】
【００１０】
車体枠１内に横長ドラム形をした大径の前輪２と後輪３を取付ける。前輪２の外周面に複数条の種蒔き溝ｍを押し固め形成する複数本の輪形をしたゴムロール４を間隔を置いて嵌付け、車体枠１上方に前上がり傾斜をした台板５を取付け、該台板５上に円形の種入れ枠６を設け、該枠６内に前輪２の走行を動力にして回転する回転円盤７を敷き入れ、該円盤７に種ｔを１粒づつ落入させる大きさの拾い穴８を４条列等にて多数周設し、台板５の前上がり上部に設けた縦４個等の導入穴８ａに拾い穴８が一致したときに拾い穴８内の種ｔを順次導入穴８ａ内に落とし、各導入穴８ａに続く４本等のチューブ９を経て種出しノズル９ａより種蒔き溝ｍ上に種蒔きするようにしたのである。８ｂは種ｔの弾き落し用の種落とし部材である。
【００１１】
１０は覆土板でノズル９ａの後方に前輪２と平行して設けて畑の上部を薄く掻いて種蒔きした上を覆土するものである。横長ドラム形をした大径の後輪３はこの覆土上を踏み走行して覆土を程よく鎮圧するようにしている。１１は車体枠１の後端に取付けたコ形枠形をした手押し部、１２はクラッチレバー、１３は前輪２の側面に接面して伝動回転するサイドローラで、チェン，Ｖベルトやギア（図示してない）などを介して回転円盤７を回転させる動力を伝達するものであり、クラッチレバー１２の操作により動力の伝達を入切することができるようになっている。また前輪２側面の接面部位を中心近くから外周近くまで上下に移動調整することにより回転数を増減調節することができるようにしている。
【００１２】
本考案は種入れ枠６内に種を投入しておいて手押し部１１に手をかけて車体枠１を前進走行させると、横長で径の大きいドラム形をした前輪２が畑の上を走行して且つ嵌付けたゴムロール４が４条等にて種蒔き溝ｍを押し固め形成し、同時に種ｔは順次各拾い穴８内に入って回転円盤７がサイドローラ１３の伝動回転にて回転して拾い穴８列が前上がり台５の中心上の導入穴８ａに一致したときに該拾い穴８内の１粒づつの種ｔが順次チューブ９より種出しノズル９ａを経て種蒔き溝ｍ上に種蒔きされることとなる。続く走行により覆土板１０にて薄く覆土して後、後輪３の踏み走行により覆土を程よく鎮圧して種蒔きを終了するのである。
【００１３】
なおゴムロール４を移動してゴムロール４間の間隔を広狭調整して種蒔き溝ｍの条間を広狭に調整し、またゴムロール４の１本などを抜き外して４条蒔きのほか、３条、２条等の蒔き方に変更することもできる。
【００１４】
また回転円盤７の拾い穴８の大きさを大小に変更することで各種の大きさの異なる種ｔの種蒔きを可能にし、また種蒔き溝ｍ上における１粒づつの種蒔き間隔も拾い穴８の穴数の変更（拾い穴周設間隔の広狭）とサイドローラ１３を上下動させて回転円盤７の回転を遅速させることにより２ｃｍ〜１６ｃｍの間で無段階にて切替えることができることとなる。
【００１５】
なおクラッチレバー１２を引き操作することにより、手押し走行中も種蒔きを一時停止することができる。
【図面の簡単な説明】
【００１６】
【図１】種蒔機を前側方からみた斜視図
【図２】同、防風フードを取付けた例を後側方からみた斜視図
【図３】回転円盤部分の部分拡大断面図
【図４】使用状態を示す説明図
【符号の説明】
【００１７】
１は車体枠
２は前輪
３は後輪
４はゴムロール
５は台板
６は種入れ枠
７は回転円盤
８は拾い穴
８ａは導入穴
８ｂは種落とし部材
９はチューブ
９ａはノズル
１０は覆土板
１１は手押し部
１２はクラッチレバー
１３はサイドローラ
【図１】
0003106731.tif 000003
【図２】
0003106731.tif 000004
【図３】
0003106731.tif 000005
【図４】
0003106731.tif 000006
【手続補正書】
【提出日】平成16年7月22日(2004.7.22)
【手続補正１】
【補正対象書類名】明細書
【補正対象項目名】０００２
【補正方法】変更
【補正の内容】
【０００２】
この種の種蒔機は本願出願人の登録第１４６６８１２号にて、車輪を前後に有す車体枠の中間上に前上がり傾斜を附した台板を取付け、該台板上に種子入れ枠を取付け、該種子入れ枠内に車輪の回転を動力として回転する円盤を敷入れ、該円盤に種子を一個づつ落入する数条列の落入孔を周設し、該数条列の落入孔に一致する台板の前上がり位置に接続用筒を並設し、各接続用筒に種子蒔きホースを接続し、各ホースの下端を車体枠の中間下部に横断取付けする支柱の前面下に横移動可能において並設する土寄せ板付の空洞形土切り内に装着したことを特徴とする種子蒔き機を開示している（実公昭５７−１９９３２号参照）。